(57)【要約】【課題】  １個のセンサで２個の可動部の状態を検知することができ、しかも、可動部の状態およびセンサの異常を電気回路上で判別することができる貨幣処理装置を提供する。【解決手段】  紙幣処理装置１０は、装置本体１１に動作可能に取り付けられる正面カバー１２および紙幣収納部１３と、発光素子２１および受光素子２２からなる１組の光センサ２０と、発光素子２１と受光素子２２の間に配置される導光体３０と、を有する。導光体３０は、正面カバー１２の状態を検知するための第１凹部と、第１凹部とは意図的に異なる深さに形成され紙幣収納部１３の状態を検知するための第２凹部と、を有する。正面カバー１２および紙幣収納部１３は、それぞれ、第１凹部および第２凹部に進退する第１遮蔽部材４１および第２遮蔽部材４２を有する。第１凹部の深さと第２凹部の深さの和は、導光体３０の幅寸法以下に設定される。【選択図】  図２
2013134643.tif 000002
【特許請求の範囲】
【請求項１】
装置本体と、前記装置本体に動作可能に取り付けられる第１可動部と、前記装置本体に取り付けられ、前記第１可動部とは独立して動作可能な第２可動部と、を有する貨幣処理装置において、
前記装置本体に設けられ、発光素子および受光素子からなる１組の光センサと、
前記発光素子と前記受光素子の間に配置され、前記発光素子からの光を前記受光素子に導く導光体と、を有し、
前記導光体は、前記第１可動部の状態を検知するための第１凹部と、前記第１凹部から離れた位置で前記第１凹部とは異なる深さに形成され、前記第２可動部の状態を検知するための第２凹部と、を導光路上に有し、
前記第１可動部は、前記第１可動部の動作に合わせて前記第１凹部に進退する第１遮蔽部材を有し、
前記第２可動部は、前記第２可動部の動作に合わせて前記第２凹部に進退する第２遮蔽部材を有し、
前記第１・第２遮蔽部材は、それぞれ、前記第１・第２凹部に進入したときは前記第１・第２凹部を遮蔽する一方、前記第１・第２凹部から後退したときは前記第１・第２凹部にて光を透過させる機能を有し、
前記第１凹部の深さと前記第２凹部の深さの和を前記導光体の幅寸法以下に設定することにより、前記第１・第２遮蔽部材が前記第１・第２凹部のそれぞれに共に進入した状態でも、前記受光素子が前記発光素子からの光を受光できるようにしたことを特徴とする貨幣処理装置。
【請求項２】
前記第１凹部と前記第２凹部は、前記導光路の中心軸を挟んで対向することを特徴とする請求項１に記載の貨幣処理装置。
【請求項３】
前記第１可動部とは、紙幣処理装置の正面カバーであり、また前記第２可動部とは、紙幣処理装置の紙幣収納部であることを特徴とする請求項１又は請求項２記載の貨幣処理装置。
【請求項４】
前記第１可動部及び前記第２可動部とは、硬貨処理装置の硬貨収納部の各々に硬貨の蓄積枚数に応じて動作するレバーのうちの第１のレバーと第２のレバーであることを特徴とする請求項１又は請求項２記載の貨幣処理装置。
【発明の詳細な説明】
【技術分野】
【０００１】
本発明は、貨幣処理装置に関し、より詳細には、無人機もしくは自動販売機等に搭載される貨幣処理装置において、光センサを利用して可動部の状態を判定する技術に関する。
【背景技術】
【０００２】
紙幣あるいは硬貨を識別する貨幣処理装置が広く普及している。一般に貨幣処理装置には、カバーや収納部など複数の可動部が設けられており、これら複数の可動部の状態は、各種のセンサによって検知される。
【０００３】
たとえば、紙幣を識別する紙幣処理装置では、正面側に正面カバーが設けられ、背面側に紙幣収納部が設けられる（たとえば、特許文献１参照）。これら正面カバーおよび紙幣収納部は、それぞれ、装置本体に対して開閉可能に設けられ、個々のマイクロスイッチによって開閉状態が検知される。通常、個々のマイクロスイッチは、装置本体側に設けられており、正面カバーおよび紙幣収納部それぞれには、マイクロスイッチに当接可能な凸部が設けられる。正面カバーあるいは紙幣収納部が閉じた状態では、凸部がマイクロスイッチを押してマイクロスイッチがＯＮになり、正面カバーあるいは紙幣収納部が開いた状態では、凸部がマイクロスイッチから離れてマイクロスイッチがＯＦＦになるように設定する。これにより、正面カバーおよび紙幣収納部の開閉状態をマイクロスイッチからのＯＮ／ＯＦＦ信号によって検知することができる。
【０００４】
また、硬貨を識別する硬貨処理装置では、硬貨を釣銭として利用するため、金種別に硬貨が積載される硬貨収納部が設けられる。各硬貨収納部において硬貨の蓄積枚数が許容限度に達したか否かは、個々のフォトインタラプタ（透過型）によって検知される。透過型フォトインタラプタは、発光素子であるＬＥＤ(主に赤外光が用いられる)と、受光素子であるフォトトランジスタとが対向して配置され、ＬＥＤとフォトトランジスタの間に遮蔽物が有るか否かを検知する。このような透過型フォトインタラプタを硬貨処理装置に用いる場合、硬貨の蓄積枚数に応じて回動するレバーを設け、硬貨の蓄積枚数が許容限度に達したときに、レバーがＬＥＤとフォトトランジスタの間を遮蔽するように設定する。これにより、硬貨の蓄積枚数が許容限度に達したか否かをフォトトランジスタからの信号によって検知することができる。
【先行技術文献】
【特許文献】
【０００５】
【特許文献１】特開２０１１−１９７８４２号公報
【発明の概要】
【発明が解決しようとする課題】
【０００６】
前述した紙幣処理装置では、正面カバーや紙幣収納部を強い力で閉じると、マイクロスイッチに大きな力が加わり、この力がマイクロスイッチを壊す原因となっていた。また、正面カバーおよび紙幣収納部それぞれにマイクロスイッチを設けていたため、装置を組み立てる際、スイッチ用の配線処理が煩雑になり、線材が噛まないように注意する必要があった。さらに、マイクロスイッチが壊れた場合、スイッチからの信号が出続ける状態または信号が全く出ない状態になるため、正面カバー、紙幣収納部が閉じているのか、あるいは、マイクロスイッチが壊れているのかを電気回路上で判断できなかった。このため、人が装置の状態を調べて修理する必要があり、面倒であった。
【０００７】
また、硬貨処理装置においても、金銭種別に設けた複数の硬貨収納部それぞれにフォトインタラプタを配設する必要があり、フォトインタラプタの個数が多く、上記マイクロスイッチの場合と同様に配線処理の煩雑等の問題が生じていた。
【０００８】
そこで、本発明は、１個のセンサで２個の可動部の状態を検知でき、しかも、可動部の状態およびセンサの異常を電気回路上で判別できる貨幣処理装置を提供することにある。
【課題を解決するための手段】
【０００９】
第１の発明は、装置本体と、前記装置本体に動作可能に取り付けられる第１可動部と、前記装置本体に取り付けられ、前記第１可動部とは独立して動作可能な第２可動部と、を有する貨幣処理装置において、前記装置本体に設けられ、発光素子および受光素子からなる１組の光センサと、前記発光素子と前記受光素子の間に配置され、前記発光素子からの光を前記受光素子に導く導光体と、を有し、前記導光体は、前記第１可動部の状態を検知するための第１凹部と、前記第１凹部から離れた位置で前記第１凹部とは異なる深さに形成され、前記第２可動部の状態を検知するための第２凹部と、を導光路上に有し、前記第１可動部は、前記第１可動部の動作に合わせて前記第１凹部に進退する第１遮蔽部材を有し、前記第２可動部は、前記第２可動部の動作に合わせて前記第２凹部に進退する第２遮蔽部材を有し、前記第１・第２遮蔽部材は、それぞれ、前記第１・第２凹部に進入したときは前記第１・第２凹部を遮蔽する一方、前記第１・第２凹部から後退したときは前記第１・第２凹部にて光を透過させる機能を有し、前記第１凹部の深さと前記第２凹部の深さの和を前記導光体の幅寸法以下に設定することにより、前記第１・第２遮蔽部材が前記第１・第２凹部のそれぞれに共に進入した状態でも、前記受光素子が前記発光素子からの光を受光できるようにしたことを特徴とする。
【００１０】
第２の発明は、第１の発明において、前記第１凹部と前記第２凹部は、前記導光路の中心軸を挟んで対向することを特徴とする。
【００１１】
第３の発明は、上記第１の発明又は第２の発明において、前記第１可動部とは、紙幣処理装置の正面カバーであり、また前記第２可動部とは、紙幣処理装置の紙幣収納部であることを特徴とする。
【００１２】
第４の発明は、上記第１の発明又は第２の発明において、前記第１可動部及び前記第２可動部とは、硬貨処理装置の硬貨収納部の各々に硬貨の蓄積枚数に応じて動作するレバーのうちの第１のレバーと第２のレバーであることを特徴とする。
【発明の効果】
【００１３】
本発明の貨幣処理装置によれば、導光体を透過した光を受光素子で受光し、この受光に応じて電圧に変換された受光電圧の値を監視することで、導光体における遮蔽状態、すなわち、第１・第２凹部それぞれにおける第１・第２遮蔽部材の有無を検知することができる。これにより、第１・第２可動部それぞれの状態を判定することができる。したがって、１組の光センサで２個の可動部の状態を判定することができ、センサの個数を半減することができる。また、第１・第２凹部それぞれに第１・第２遮蔽部材が共に進入した状態でも、受光素子が光を受光することから、発光素子が全く発光しない場合や、受光素子が光を全く受光しない場合は、光センサで何らかの異常が起きていることを電気回路上で判定することができる。
【図面の簡単な説明】
【００１４】
【図１】本発明の実施形態にかかる紙幣処理装置の側面図であり、正面カバーおよび紙幣収納部を閉めた形態を示す図である。
【図２】紙幣処理装置の正面図である。
【図３】導光体の斜視図である。
【図４】紙幣処理装置の側面図であり、正面カバーおよび紙幣収納部を開けた形態を示す図である。
【図５】正面カバーおよび紙幣収納部の開閉状態を判定する基本原理を説明する図である。
【図６】導光体の各部の寸法を説明する図である。
【図７】実験例の遮蔽条件を説明する図であり、（ａ）は実験１の遮蔽条件を示す図、（ｂ）は実験２の遮蔽条件を示す図、（ｃ）は実験３の遮蔽条件を示す図、（ｄ）は実験４の遮蔽条件を示す図である。
【図８】実施形態の変形例を示す図であり、硬貨処理装置に使用される光センサの斜視図である。
【発明を実施するための形態】
【００１５】
以下、添付図面を参照して、本発明を実施するための形態（以下、実施形態）について詳細に説明する。なお、実施形態の説明の全体を通して同じ要素には同じ番号を付している。また、前・後は、紙幣処理装置に正対したときの手前側・奥側とし、左・右は、紙幣処理装置に正対したときの左側・右側とする。
【００１６】
図１に示すように、実施形態にかかる紙幣処理装置（貨幣処理装置）１０は、装置本体１１と、装置本体１１の正面側に設けられる正面カバー（第１可動部）１２と、装置本体１１の背面側に設けられる紙幣収納部（第２可動部）１３と、を有する。正面カバー１２の上部には、紙幣１５が挿入される挿入口１２ａが設けられる。装置本体１１では、挿入口１２ａから挿入された紙幣１５を識別処理した後、真券と判別された紙幣１５を搬送して紙幣収納部１３に収納する。
【００１７】
正面カバー１２は、回動軸１６を介して装置本体１１の下部に回動可能に取り付けられており、装置本体１１の前部を開閉する。正面カバー１２を装置本体１１に対して開閉可能にすることで、装置本体１１の内部を補修したり調べたりすることができるようになっている。
【００１８】
紙幣収納部１３は、回動軸１７を介して装置本体１１の下部に回動可能に取り付けられており、装置本体１１の後下部を開閉する。紙幣収納部１３を装置本体１１に対して開閉可能とすることで、紙幣収納部１３に収納される紙幣１５を回収できるようになっている。
【００１９】
装置本体１１の上部には、回路基板１８が設けられる。この回路基板１８には、１組の光センサ２０が設けられる。なお、この光センサ２０を用いて、正面カバー１２および紙幣収納部１３の開閉状態を判定する原理については、後述する。
【００２０】
図２に示すように、光センサ２０は、発光素子（ここではＬＥＤ）２１および受光素子（ここではフォトトランジスタ）２２を有する。発光素子２１と受光素子２２の間には、発光素子２１からの光を受光素子２２に導く導光体３０が配置される。
【００２１】
発光素子２１は、回路基板１８の左右の一側（ここでは左側）に設けられる。受光素子２２は、回路基板１８の左右の他側（ここでは右側）に設けられる。導光体３０は、正面視で上方に開放するほぼコの字状を呈する。
【００２２】
図３に示すように、導光体３０は、光を任意の方向に屈曲させることが可能なプリズムである。導光体３０は、発光素子２１（図３参照）からの光が入射される入射面３１と、入射面３１から前下方に向けてクランク状に屈曲する側部３２と、この側部３２の下端から側方に延びる連結部３３と、連結部３３の端部から後上方に向けてクランク状に屈曲する側部３５と、この側部３５の上端に形成されて受光素子２２（図３参照）に向けて光を出射する出射面３６と、を有する。導光体３０の材質は、アクリル樹脂に代表される各種の導光材料から選択可能である。また、導光体３０の横断面形状は、正方形や円形、正多角形など任意の形態から選択可能である。
【００２３】
導光体３０の側部３５の下部には、断面コの字状の第１凹部３７および第２凹部３８が設けられる。これら第１・第２凹部３７，３８は、導光体３０の表面から導光体３０の中心軸に向けて凹んで設けられ、意図的に互いに異なる深さに形成される。また、第１・第２凹部３７，３８は、導光体３０の軸方向に沿って離間しており、この例では、第１凹部３７が上に位置し、第２凹部３８が下に位置する。さらに、第１・第２凹部３７，３８は、導光体３０の中心軸を挟んで対向して配置される。この例では、第１凹部３７は前方に開放し、第２凹部３８は後方に開放している。
【００２４】
図４に示すように、正面カバー１２および紙幣収納部１３それぞれには、第１凹部３７および第２凹部３８に対して進退可能な第１遮蔽部材４１および第２遮蔽部材４２が設けられる。
【００２５】
第１遮蔽部材４１は、正面カバー１２の背面側に設けられ、後方に向けて突出する凸部である。第１遮蔽部材４１は、正面カバー１２が閉じた状態では、第１凹部３７に進入して導光体３０の導光路の一部を遮蔽する。一方、正面カバー１２が装置本体１１から離れて開いた状態では、第１遮蔽部材４１は、第１凹部３７から後退・離脱する。
【００２６】
第２遮蔽部材４２は、紙幣収納部１３の前側に設けられ、前方に向けて突出する凸部である。第２遮蔽部材４２は、紙幣収納部１３が閉じた状態では、第２凹部３８に進入して導光体３０の導光路の一部を遮蔽する。一方、紙幣収納部１３が装置本体１１から離れて開いた状態では、第２遮蔽部材４２は、第２凹部３８から後退・離脱する。
【００２７】
次に、光センサ２０を用いて正面カバー１２および紙幣収納部１３の開閉状態を判定する基本原理を図５に基づいて説明する。図５に示すように、発光素子２１および受光素子２２それぞれには、抵抗４３および抵抗４４を介して、５Ｖの電源電圧が供給される。受光素子２２の出力端子４６は、マイクロコンピュータからなる判定部４７のアナログ入力端子に接続される。発光素子２１から発光された光は、導光体３０を透過し、受光素子２２に受光される。判定部４７は、受光素子２２で受光した光に応じた受光電圧Ｖ１をアナログレベルで監視する。
【００２８】
ここで、第１・第２遮蔽部材４１，４２による遮蔽作用と受光電圧Ｖ１との関係に注目する。第１凹部３７あるいは第２凹部３８に遮蔽物（第１・第２遮蔽部材４１，４２）が進入すると、導光体３０の導光路が部分的に遮蔽される。導光路が部分的に遮蔽されると、この遮蔽の度合いに応じて受光電圧Ｖ１が変化する。
【００２９】
本発明者らは、この受光電圧Ｖ１の変化に着目し、第１・第２凹部３７，３８それぞれにおける第１・第２遮蔽部材４１，４２の有無と受光電圧Ｖ１の値との関係を調べた後、この調べた結果から受光電圧Ｖ１の判定値（閾値）を定め、この定めた判定値に基づいて受光電圧Ｖ１を監視することにより、正面カバー１２（図１参照）および紙幣収納部１３（図１参照）それぞれの開閉状態を判定部４７で判定できることを見出した。
【００３０】
以下、本発明にかかる実験例について説明する。この実験例では、正面カバー１２および紙幣収納部１３の開閉状態を判定するため判定値を求める。なお、本発明は、実験例に限定されるものではない。
【００３１】
（実験例）
○方法
光センサ２０（図５参照）を用い、導光棒３０における遮蔽条件を変えて受光電圧Ｖ１を測定する。
【００３２】
○使用した導光体
図６は、実験に供した導光体３０の寸法を説明する図であり、導光体３０の長さＬは６０ｍｍ、幅寸法Ｄは６ｍｍとした。また、入射面３１から第１凹部３７までの距離Ｌ１は２１ｍｍ、第１凹部３７の幅Ｗは３ｍｍ、第１凹部３７の深さｄ１は４ｍｍ、第１凹部３７における遮蔽量（第１遮蔽部材４１が進入する距離）ａ１は３．５ｍｍとした。また、出射面３６から第２凹部３８までの距離Ｌ２は２８ｍｍ、第２凹部３８の幅Ｗは３ｍｍ、第２凹部３８の深さｄ２は２ｍｍ、第２凹部３８における遮蔽量（第２遮蔽部材４２が進入する距離）ａ２は１．５ｍｍとした。また、第１凹部３７と第２凹部３８の離間距離Ｌ３は５ｍｍとした。
【００３３】
ここで、上記寸法を設定した根拠について述べる。
幅寸法Ｄを大きく設定し過ぎると、光量が低下するおそれがあり、光量を低下させず、しかも寸法のばらつきを抑えるには、幅寸法Ｄを６ｍｍ程度に設定することが好適であると判断した。また、幅Ｗは、一般に使用されるフォトインタラプタの仕様（スリットの大きさ等）を参考にして設定した。また、離間距離Ｌ３は、大きく設定し過ぎる（第１凹部３７と第２凹部３８が離れ過ぎる）と、導光体３０内の光の反射により電圧レベルが高くなることが懸念される。このため、離間距離Ｌ３は、第１・第２遮蔽部材４１，４２が良好に動作し、第１・第２凹部３７，３８が形成可能な範囲で、できるだけ小さく（第１凹部３７と第２凹部３８が互いに近づくように）設定した。
【００３４】
また、第１凹部３７の深さｄ１と第２凹部３８の深さｄ２の和を、導光体３０の幅寸法Ｄ以下に設定することにより、第１・第２凹部３７，３８に第１・第２遮蔽部材４１，４２が共に進入した状態でも、受光素子２２が発光素子２１からの光を受光できるようにした。
【００３５】
また、上記寸法設定では、第２凹部３８の深さｄ２を２ｍｍとした。これに対し、幅寸法Ｄが６ｍｍであるとき、第１凹部３７の深さｄ１を５ｍｍとし、第２凹部の深さｄ２を１ｍｍとすることも可能である。しかし、１ｍｍの深さで第２凹部３８を設けると、各部の寸法のばらつきにより、第２遮蔽部材４２が第２凹部３８を十分に遮蔽できないことが懸念される。また、深さｄ１，ｄ２を共に３ｍｍに設定すると、第１凹部３７における遮蔽量と第２凹部３８における遮蔽量との差が無くなるため、第１・第２凹部３７，３８のうち、いずれの凹部が遮蔽されたかを特定できなくなる。したがって、この例では、深さｄ１を４ｍｍ、深さｄ２を２ｍｍに設定することで、第２凹部３８における遮蔽を可能にし、かつ、第１凹部３７における遮蔽量と第２凹部３８における遮蔽量の間に差を設けるようにした。
【００３６】
○遮蔽条件
正面カバー１２および紙幣収納部１３それぞれの開閉状態を想定し、４つの遮蔽条件（実験１〜４）を設定した。実験１〜４の各々の遮蔽条件を表１に示す。なお、表中、全遮蔽量は、第１凹部３７における遮蔽量と第２凹部３８における遮蔽量の和である。また、表中、遮蔽割合は、導光体３０の幅寸法Ｄに対する全遮蔽量の割合である。
【００３７】
【表１】
2013134643.tif 000003
【００３８】
表１に示されるように、実験１では、第１・第２凹部３７，３８を共に遮蔽しない（第１・第２凹部３７，３８のいずれにおいても光が透過する）条件とする。すなわち。図７（ａ）に示すように、第１・第２凹部３７，３８には、第１・第２遮蔽部材４１，４２を進入させず、導光路は全く遮蔽されない。
【００３９】
実験２では、第２凹部３８のみを遮蔽する条件とする。図７（ｂ）に示すように、深さの小さい第２凹部３８のみに第２遮蔽部材４２を進入させ、全遮蔽量（１．５ｍｍ）を小さく設定する。
【００４０】
実験３では、第１凹部３７のみを遮蔽する条件とする。図７（ｃ）に示すように、深さの大きい第１凹部３７のみに第１遮蔽部材４１を進入させ、全遮蔽量（３．５ｍｍ）を中程度に設定する。
【００４１】
実験４では、第１・第２凹部３７，３８を共に遮蔽する条件とする。図７（ｄ）に示すように、第１・第２凹部３７，３８に、第１・第２遮蔽部材４１，４２を進入させ、全遮蔽量（５．０ｍｍ）を大きく設定する。
【００４２】
○結果
実験１〜４それぞれの測定結果を表２に示す。なお、表中、受光電圧の割合は、基準電圧（５Ｖ）に対する受光電圧Ｖ１の割合である。
【００４３】
【表２】
2013134643.tif 000004
【００４４】
表２に示されるように、受光電圧Ｖ１の測定値は、全く遮蔽されない実験１では、０．１６Ｖであった。これに対して、全遮蔽量が小さく設定された実験２では１．２８Ｖ、全遮蔽量が中程度に設定された実験３では２．１６Ｖ、全遮蔽量が大きく設定された実験４では４．２８Ｖであった。この結果から、実験１〜４の測定値の間には、明確な差があることが確認されると同時に、全遮蔽量が大きくなるに従って、受光電圧Ｖ１が高くなることが確認された。これにより、受光電圧Ｖ１の値を監視し、その値に基づいて、正面カバー１２（図１参照）および紙幣収納部１３（図１参照）それぞれの開閉状態を判定できることが確認された。
【００４５】
また、実験２の測定値（１．２８Ｖ）と実験３の測定値（２．１６Ｖ）には、明確な差があると言える。したがって、第１・第２凹部３７，３８のうち、いずれの凹部が遮蔽されたかを判定するうえで、第１凹部３７の深さｄ１と第２凹部３８の深さｄ２を異なる大きさに設定することが有効であることが示された。
【００４６】
さらに、実験４の測定値は、４．２８Ｖであり、基準電圧（５Ｖ）を大きく下回ることが確認された。これにより、第１・第２凹部３７，３８が共に遮蔽された状態でも、光が乱反射等により導光体３０を透過し、受光素子２２に受光されることが示された。一方、発光素子２１が全く発光しない場合や受光素子２２が全く受光しない場合など、センサに異常が起きている状態では、受光電圧Ｖ１は５Ｖになる。したがって、受光電圧Ｖ１が約５Ｖであれば、センサに異常が起きていると判断することができる。加えて、第１凹部３７の深さｄ１と第２凹部３８の深さｄ２の和を導光体３０の幅寸法Ｄ以下に設定することが、センサの異常を判別するうえで有効であることが示された。
【００４７】
以上の実験例の結果に基づいて定めた受光電圧Ｖ１の判定値を表３に示す。
【００４８】
【表３】
2013134643.tif 000005
【００４９】
表３に示されるように、判定部４７（図５参照）では、受光電圧Ｖ１が１．０Ｖ未満であるとき、「状態１」であると判定する。「状態１」は、正面カバー１２および紙幣収納部１３が共に開いている状態である。また、受光電圧Ｖ１が１．０Ｖ以上、２．０Ｖ未満であるときは、「状態２」であると判定する。「状態２」は、正面カバー１２が開き、紙幣収納部１３が閉じている状態である。また、受光電圧Ｖ１が２．０Ｖ以上、３．５Ｖ未満であるときは、「状態３」であると判定する。「状態３」は、正面カバー１２が閉じ、紙幣収納部１３が開いている状態である。また、受光電圧Ｖ１が３．５Ｖ以上、４．８Ｖ未満であるときは、「状態４」であると判定する。「状態４」は、正面カバー１２および紙幣収納部１３が共に閉じている状態である。そして、受光電圧Ｖ１が４．８Ｖ以上であるときは、センサに異常が起きている状態であると判定する。
【００５０】
以上に述べた本実施形態によれば、正面カバー１２および紙幣収納部１３それぞれの開閉状態を１組の光センサ２０によって判定することができ、従来に比べて、センサの個数を半減することができる。また、光センサ２０に異常が起きていることを電気回路上で判断することができる。
【００５１】
さらに、実施形態では、導光体３０の中心軸を挟んで第１凹部３７と第２凹部３８とを対向させて設けた。これに対して、第１凹部３７と第２凹部３８を同じ向きにして導光体３０に設けることも可能である。しかし、この場合、導光路の軸方向において第１・第２凹部が重なるため、第１・第２凹部が共に遮蔽されるときの遮蔽量と、深さの大きい第１凹部のみが遮蔽されるときの遮蔽量との間に差を設けにくくなる。
【００５２】
この点、本実施形態では、第１凹部３７と第２凹部３８を対向させたので、導光路の軸方向において第１凹部３７と第２凹部３８が重ならない。結果、第１・第２凹部３７，３８が共に遮蔽されるときの遮蔽量と、第１凹部３７のみが遮蔽されるときの遮蔽量との間に明確な差を設けることができ、正面カバー１２および紙幣収納部１３の開閉状態をより高い精度で判定することができる。
【００５３】
次に、実施形態の変形例を図８に基づいて説明する。
この変形例は、本発明の貨幣処理装置を、硬貨を識別する硬貨処理装置に適用した例である。変形例にかかる硬貨処理装置には、硬貨が金種別に積載される４個の硬貨収納部（図示省略）が設けられる。４個の硬貨収納部は、たとえば、１０円硬貨、５０円硬貨、１００円硬貨、５００円硬貨に対応している。硬貨収納部の各々には、硬貨の蓄積枚数に応じて動作するレバーが設けられる。この変形例では、４種類の硬貨に対応する４個のレバーに対して、２組の光センサを対応させる。すなわち、図８に示すように、第１レバー５１および第２レバー５２からなる１対のレバーに対して、１組の光センサ５０を対応させる。第１・第２レバー５１，５２は、それぞれ、本発明にかかる第１・第２可動部および第１・第２遮蔽部材に相当する。
【００５４】
回路基板５７には、導光体５３が設けられる。発光素子（図示省略）からの光は、導光体５３の一端に照射され、導光体５３の導光路を通って導光体５３の他端から出射し、受光素子（図示省略）に受光される。
【００５５】
導光体５３には、第１凹部５５および第２凹部５６が設けられる。第１・第２凹部５５，５６は、意図的に互いに異なる深さで形成される。第１・第２レバー５１，５２は、回動可能であり、それぞれ、第１・第２凹部５５，５６に対して上端部が進退可能である。
【００５６】
第１・第２レバー５１，５２は、硬貨の蓄積枚数が許容限度に達したとき、第１・第２凹部５５，５６に上端部を進入させる。たとえば、第１レバー５１が１００円硬貨用の硬貨収納部に対応する場合、１００円硬貨の蓄積枚数が許容限度に達したとき、第１レバー５１の上端部は、第１凹部５５に進入して導光体５３の導光路の一部を遮蔽する。
【００５７】
この変形例によれば、導光体５３における遮蔽状態と受光電圧との関係を予め求めることで、前述した紙幣処理装置１０（図１参照）と同様の作用効果が得られ、４種類の硬貨の積載状態を２組の光センサ５０で判定することができる。よって、４種類の硬貨の積載状態を４組のセンサで個別に検知する従来の硬貨処理装置に比べ、センサの個数を半減することができる。
【００５８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５９】
１０……紙幣処理装置（貨幣処理装置）、１１……装置本体、１２……正面カバー（第１可動部）、１３……紙幣収納部（第２可動部）、２０……光センサ、２１……発光素子、２２……受光素子、３０……導光体、３７……第１凹部、３８……第２凹部、４１……第１遮蔽部材、４２……第２遮蔽部材、５０……光センサ、５１……第１レバー（第１可動部）、５２……第２レバー（第２可動部）、５３……導光体、５５……第１凹部、５６……第２凹部、ｄ１……第１凹部の深さ、ｄ２……第２凹部の深さ、Ｄ……導光体の幅寸法。
【図１】
2013134643.tif 000006
【図２】
2013134643.tif 000007
【図３】
2013134643.tif 000008
【図４】
2013134643.tif 000009
【図５】
2013134643.tif 000010
【図６】
2013134643.tif 000011
【図７】
2013134643.tif 000012
【図８】
2013134643.tif 000013